(57)【要約】【課題】開閉時の誤入力および消費電力の抑制を可能にした携帯端末を提供する。【解決手段】光を内部に導く第１の開口部と、第１の開口部から入る光を検出する第１の光検出手段とを含む第１の筐体と、第１の筐体の一部に沿って、第１の開口部を塞ぐ位置と開放する位置とに移動可能な第２の筐体と、第１の光検出手段の検出結果を基に第２の筐体の位置を検出する位置検出手段と、を有する。【選択図】図１
2013187829.tif 000002
【特許請求の範囲】
【請求項１】
光を内部に導く第１の開口部と、前記第１の開口部から入る光を検出する第１の光検出手段とを含む第１の筐体と、
前記第１の筐体の一部に沿って、前記第１の開口部を塞ぐ位置と開放する位置とに移動可能な第２の筐体と、
前記第１の光検出手段の検出結果を基に前記第２の筐体の位置を検出する位置検出手段と、
を有する携帯端末。
【請求項２】
請求項１記載の携帯端末において、
前記第２の筺体において、前記第１の開口部が塞がれている状態で前記第１の光検出手段の対向する位置に配置され、太陽光および照明を含む光源が発生する光とは異なる性質の光を該第１の光検出手段に照射する光発生手段がさらに設けられている、携帯端末。
【請求項３】
請求項１または２に記載の携帯端末において、
前記第２の筺体に設けられた磁石と、
前記第１の筺体において、前記第１の開口部が開放されている状態で前記磁石に対向する位置に配置された磁気検出手段と、をさらに有し、
前記位置検出手段は、前記第１の光検出手段の検出結果および前記磁気検出手段の検出結果を基に前記第２の筺体の位置を検出する、携帯端末。
【請求項４】
請求項１から３のいずれか１項記載の携帯端末において、
前記第１および第２の筺体がヒンジで接続され、
前記第１の開口部および前記第１の光検出手段が前記ヒンジに設けられている、携帯端末。
【請求項５】
請求項１記載の携帯端末において、
前記第１の開口部とは異なり、光を内部に導く第２の開口部と、該第２の開口部から入る光を検出する第２の光検出手段とが前記第２の筺体にさらに設けられ、
前記位置検出手段は、前記第１および第２の光検出手段の検出結果を基に前記第２の筺体の位置を検出する、携帯端末。
【請求項６】
請求項５記載の携帯端末において、
前記第２の開口部は、前記第１の開口部が開放されている状態で前記第２の筺体によって塞がれ、該第１の開口部が塞がれている状態で開放される位置に配置されている、携帯端末。
【請求項７】
第１の筺体と、
第２の筺体と、
前記第１および第２の筺体を接続するヒンジ部と、
前記ヒンジ部に設けられ、該ヒンジ部を中心軸としたときの前記第１および第２の筺体の回転角である開度を検出するセンサと、
を有する携帯端末。
【請求項８】
請求項７記載の携帯端末において、
前記センサが近接センサであり、
前記第１の筺体の前記ヒンジ部に前記近接センサが設けられ、
前記近接センサは、前記開度が最大の状態において、前記第２の筺体の一部に対向する位置に配置されている、携帯端末。
【請求項９】
請求項７記載の携帯端末において、
前記センサが反射型光電センサであり、
前記第１の筺体の前記ヒンジ部に反射型光電センサが配置され、
前記反射型光電センサは、前記開度が最大の状態において、前記第２の筺体の一部に対向する位置に配置されている、携帯端末。
【請求項１０】
第１の筺体と、該第１の筺体の一部に沿って移動可能な第２の筺体とを含む携帯端末が実行する位置検出方法であって、
前記第１の筺体の一部に沿って前記第２の筺体が所定の位置に移動したときに該第２の筺体によって塞がれ、前記第２の筺体が該所定の位置から移動すると開放される開口部と、該開口部から入る光を検出する光検出手段とを前記第１の筺体に予め設け、
前記光検出手段から出力される検出結果を監視し、
前記検出結果に基づいて、前記第２の筺体の位置を検出する、位置検出方法。
【発明の詳細な説明】
【技術分野】
【０００１】
本発明は、２つの筺体からなる携帯端末および位置検出方法に関する。
【背景技術】
【０００２】
折り畳み型の携帯電話機は、ユーザが携帯電話機を開いたとき、それを検知して画像を表示部に表示させる。特許文献１には、折り畳み型の携帯電話機において、携帯電話機の開閉状態を検出し、携帯電話機が開状態になると、タッチパネルを操作可能にする技術が開示されている。
【０００３】
折り畳み型の携帯電話機の開閉検出方法の一例を、図２０および図２１を参照して説明する。図２０は、関連する携帯電話機の構成を説明するための断面模式図である。折り畳み型の携帯電話機である。
【０００４】
図２０に示す携帯電話機は、キー操作部が設けられたキー側筺体８０２と、タッチパネル機能を備えた表示部が設けられた表示側筺体８０１との２つの筺体からなる構成である。キー側筺体８０２と表示側筺体８０１はヒンジ部８０３で接続されている。
【０００５】
ユーザがキー側筺体８０２を保持した状態でヒンジ部８０３を中心軸として表示側筺体８０１を回転させることで、携帯電話機を、表示側筺体８０１が図２０の矢印８２２の位置にある「閉じた状態」にしたり、表示側筺体８０１が図２０の矢印８２１の位置にある「開いた状態」にしたりすることができる。以下では、携帯電話機を閉じた状態を「閉状態」と称し、携帯電話機を開いた状態を「開状態」と称する。
【０００６】
キー側筐体８０２には、磁気センサ８０７が搭載されたプリント配線基板８０９が設けられている。表示側筐体８０１には、磁石８０８が設けられている。図２０に示すように、磁石８０８は、携帯電話機が閉じた状態で、磁気センサ８０７と向き合う位置に配置されている。
【０００７】
図２１は、図２０に示した携帯電話機の動作を説明するための断面模式図である。
【０００８】
ユーザが携帯電話機を開いて、磁石８０８が磁気センサ８０７から遠く離れると、磁気センサ８０７は開状態を検出する。表示側筺体８０１が図２１に示す回転範囲８３１にあると、磁気センサ８０７が開状態を検出する。
【０００９】
ユーザが携帯電話機を閉じると、磁石８０８が磁気センサ８０７に近づくため、磁気センサ８０７は閉状態を検出する。表示側筺体８０１が図２１に示す回転範囲８３２にあると、磁気センサ８０７が閉状態を検出する。
【先行技術文献】
【特許文献】
【００１０】
【特許文献１】特開２００６−３１１２２４号公報
【発明の概要】
【発明が解決しようとする課題】
【００１１】
図２０および図２１を参照して説明した開閉検出方法では、次のような課題がある。
【００１２】
磁気センサの検出範囲が小さいため、図２１の回転範囲８３１に示したように、開状態の検出範囲が広い。開状態の検出範囲が広いと、例えば、ユーザが携帯電話機を開閉操作したとき、ユーザの指が誤ってタッチパネルに触れてしまうことがある。この場合、タッチパネルに誤検出が発生してしまうことになる。また、ユーザが急いで携帯電話機を閉じたとき、ユーザの指が２つの筺体の間に挟まると、指がタッチパネルに接触し、ユーザの意図しない操作をタッチパネルが検知してしまう可能性がある。
【００１３】
また、図２０に示した携帯電話機が鞄に入っている状態で、表示側筺体とキー側筺体との間に物がはさまってしまうことがある。このような場合、開状態の検出範囲が広いと、携帯電話機は、開状態と認識し、ユーザが表示部を見ていないのに、表示部を動作させてしまうことになる。その結果、電力が無駄に消費されてしまう。
【００１４】
本発明は上述したような技術が有する問題点を解決するためになされたものであり、開閉時の誤入力および消費電力の抑制を可能にした携帯端末および位置検出方法を提供することを目的とする。
【課題を解決するための手段】
【００１５】
上記目的を達成するための本発明の携帯端末は、
光を内部に導く第１の開口部と、前記第１の開口部から入る光を検出する第１の光検出手段とを含む第１の筐体と、
前記第１の筐体の一部に沿って、前記第１の開口部を塞ぐ位置と開放する位置とに移動可能な第２の筐体と、
前記第１の光検出手段の検出結果を基に前記第２の筐体の位置を検出する位置検出手段と、
を有する構成である。
【００１６】
また、本発明の携帯端末は、
第１の筺体と、
第２の筺体と、
前記第１および第２の筺体を接続するヒンジ部と、
前記ヒンジ部に設けられ、該ヒンジ部を中心軸としたときの前記第１および第２の筺体の回転角である開度を検出するセンサと、
を有する構成である。
【００１７】
さらに、本発明の位置検出方法は、第１の筺体と、該第１の筺体の一部に沿って移動可能な第２の筺体とを含む携帯端末が実行する位置検出方法であって、
前記第１の筺体の一部に沿って前記第２の筺体が所定の位置に移動したときに該第２の筺体によって塞がれ、前記第２の筺体が該所定の位置から移動すると開放される開口部と、該開口部から入る光を検出する光検出手段とを前記第１の筺体に予め設け、
前記光検出手段から出力される検出結果を監視し、
前記検出結果に基づいて、前記第２の筺体の位置を検出するものである。
【発明の効果】
【００１８】
本発明によれば、開閉時の誤入力を防止するとともに、消費電力を削減することができる。
【図面の簡単な説明】
【００１９】
【図１】本発明の一実施形態の携帯端末の一構成例を示すブロック図である。
【図２】第１の実施形態の携帯電話機の一構成例を示す外観斜視図である。
【図３】第１の実施形態の携帯電話機の一構成例を示す外観斜視図である。
【図４】第１の実施形態の携帯電話機の閉状態において、図２のＡ−Ａ’部分の断面を示す断面模式図である。
【図５】第１の実施形態の携帯電話機の開状態において、図２のＡ−Ａ’部分の断面を示す断面模式図である。
【図６】第１の実施形態の携帯電話機の構成を説明するための図である。
【図７】第１の実施形態の携帯端末の動作を説明するための断面模式図である。
【図８】第１の実施形態の携帯端末の動作手順を示すフローチャートである。
【図９】第２の実施形態の携帯電話機の構成例を示す断面模式図である。
【図１０】第２の実施形態の携帯電話機の構成を説明するための図である。
【図１１】各センサの検出と位置検出回路が判定する開閉状態との関係を示すテーブルである。
【図１２】第２の実施形態の携帯電話機の動作を説明するための断面模式図である。
【図１３】第３の実施形態の携帯電話機の要部の構成を説明するための断面模式図である。
【図１４】第４の実施形態の携帯電話機の要部の構成を説明するための断面模式図である。
【図１５】第４の実施形態の携帯電話機の構成を説明するための図である。
【図１６】各センサの検出と位置検出回路が判定する開閉状態との関係を示すテーブルである。
【図１７】実施例１の携帯電話機の要部の構成を示す断面模式図である。
【図１８】実施例２の携帯電話機の要部の構成を示す断面模式図である。
【図１９】実施例３の携帯電話機の構成を説明するための外観斜視図である。
【図２０】関連する携帯電話機の構成を説明するための断面模式図である。
【図２１】図２０に示した携帯電話機の動作を説明するための断面模式図である。
【発明を実施するための形態】
【００２０】
本発明の一実施形態の携帯端末の構成を説明する。図１は本発明の一実施形態の携帯端末の一構成例を示すブロック図である。
【００２１】
図１に示すように、携帯端末は、第１の筺体１と、第２の筺体２と、位置検出手段７とを有する。第１の筺体１は、光を内部に導く開口部３と、開口部３から入る光を検出する光検出手段５とを有する。第２の筺体２は、第１の筐体１の一部に沿って、開口部３を塞ぐ位置と開放する位置とに移動可能な構成である。位置検出手段７は、光検出手段５の検出結果を基に第２の筐体２の位置を検出する。
【００２２】
本実施形態によれば、第２の筺体２が開口部を解放する位置から開口部３を塞ぐ位置まで移動すると、外から開口部３を透過していた光が光検出手段５に照射されなくなるので、位置検出手段７は、光検出手段５から光を検出していないという検出結果を受け取る。そのとき、位置検出手段７は、第２の筺体２が開口部３を塞ぐ位置にあることを確実に検出することが可能となる。
【００２３】
以下に、本発明の携帯端末が折り畳み型の携帯電話機の場合について実施形態を説明する。ただし、本発明の開閉検出方法に関する構成について詳しく説明し、携帯電話としての一般的な機能の構成についてはその詳細な説明を省略する。
【００２４】
（第１の実施形態）
本実施形態の携帯電話機の構成を説明する。
【００２５】
図２および図３は本実施形態の携帯電話機の一構成例を示す外観斜視図である。図２は本実施形態の携帯電話機が開いた状態の外観を示し、図３は本実施形態の携帯電話機が閉じた状態の外観を示す。
【００２６】
図２に示すように、携帯電話機１０は、タッチパネル１０４が搭載された表示側筺体１０１と、キー操作部１０５が搭載されたキー側筺体１０２とを有する。表示側筺体１０１とキー側筺体１０２はヒンジ部１０３で接続されている。ヒンジ部１０３は、図２に示すように、表示側筺体１０１とキー側筺体１０２のそれぞれの端部が組み合わされた構成である。ユーザがキー側筺体１０２を保持し、ヒンジ部１０３を中心軸にして表示側筺体１０１を回転させることで、携帯電話機１０を開いたり、閉じたりできるようになっている。
【００２７】
閉状態の携帯電話機１０をヒンジ部１０３の方向から見ると、図３に示すように、キー側筐体１０２に窓２０４が設けられている。窓２０４は、筐体内部に外光が入射するか否かで携帯電話機１０の開閉検出を可能にするために、透明または半透明の材質である。携帯電話機１０が閉状態では、図３に示すように、窓２０４は、筺体内部に外光を透過させる。後述するが、窓２０４は携帯電話機１０が開いた状態では、表示側筐体１０１によって筺体内部が遮光される。
【００２８】
図４は、本実施形態の携帯電話機の閉状態において、図２のＡ−Ａ’部分の断面を示す断面模式図である。
【００２９】
図４に示すように、キー側筐体１０２側のヒンジ部１０３の内部には、プリント配線基板３０５が設けられている。プリント配線基板３０５には光センサ３０６が搭載されている。光センサ３０６は、窓２０４を介して入射される外光を検出する。
【００３０】
図５は、本実施形態の携帯電話機の開状態において、図２のＡ−Ａ’部分の断面を示す断面模式図である。図５に示す状態が、携帯電話機の開状態であり、ヒンジ部１０３を中心軸として表示側筺体１０１を回転させたときの回転角度である開度が最大値となっている。図５に示すように、窓２０４が表示側筐体１０１によって遮蔽されるため、光センサ３０６は光を検出しない。
【００３１】
このようにして、本実施形態では、開閉検出用の窓２０４をヒンジ部１０３のキー側筺体１０２に配置することで、光センサ３０６が携帯電話機の開閉を検出することが可能となる。
【００３２】
図６は本実施形態の携帯電話機の構成を説明するための図である。図６（ａ）は本実施形態の携帯電話機の一構成例を示すブロック図であり、図６（ｂ）は図６（ａ）に示す位置検出回路の一構成例を示す論理ゲート回路である。
【００３３】
図６（ａ）に示すように、携帯電話機１０は、光センサ３０６と、位置検出回路５１と、制御部１７と、タッチパネル部１０４とを有する。位置検出回路５１および制御部１７は、キー側筺体１０２に設けられている。制御部１７は、プログラムにしたがって処理を実行するＣＰＵ（Central Processing Unit）（不図示）と、プログラムを格納するためのメモリ（不図示）とを有する。
【００３４】
光センサ３０６は、光を検出すると、予め決められた電圧よりも高い電圧であるＨｉｇｈ信号を出力し、光を検出しないと、予め決められた電圧よりも低い電圧であるＬｏｗ信号を出力する。位置検出回路５１は、例えば、図６（ｂ）に示すようなインバータ回路である。位置検出回路５１は、光センサ３０６から入力される信号を反転した信号を制御部１７に出力する。
【００３５】
制御部１７は、位置検出回路５１から入力される信号がＨｉｇｈになると、携帯電話機１０が開状態になったと判定し、タッチパネル部１０４を起動する。制御部１７は、位置検出回路５１から入力される信号がＬｏｗになると、携帯電話機１０が閉状態になったと判定し、タッチパネル部１０４への電力供給を停止する。
【００３６】
なお、位置検出回路５１の論理ゲートが制御部１７の内部に組み込まれていてもよく、また、位置検出回路５１を設ける代わりに、光センサ３０６の出力を直接に制御部１７に入力するように構成し、制御部１７が実行するプログラムに、「光センサ３０６からＨｉｇｈ信号が入力されると、閉状態と認識する」処理手順が書き込まれていてもよい。
【００３７】
また、本実施形態では、説明を簡単にするために、制御部１７の制御対象がタッチパネル部１０４の場合で説明するが、制御対象はタッチパネル部１０４に限らず、表示部（不図示）等の他の構成を含んでいてもよい。また、位置検出回路５１および制御部１７がキー側筺体１０２に設けられている場合で説明したが、表示側筺体１０１に設けられていてもよい。
【００３８】
次に、本実施形態の携帯端末の動作を説明する。図７は本実施形態の携帯端末の動作を説明するための断面模式図である。図８は本実施形態の携帯端末の動作手順を示すフローチャートである。
【００３９】
ユーザが携帯電話機１０の電源をオンにすると、制御部１７は、位置検出回路５１から入力される信号の監視を開始する（ステップ１００１）。携帯電話機１０が開状態のとき、表示側筐体１０１は矢印５０９に示す位置にある。この状態では、表示側筐体１０１が窓２０４を遮蔽するため、光センサ３０６は光を検出しない。この状態では、位置検出回路５１は、光センサ３０６から入力される信号がＬｏｗなので、Ｈｉｇｈ信号を制御部１７に出力する。制御部１７は、位置検出回路５１から入力される信号がＨｉｇｈなので、携帯電話機１０が開状態と判定し（ステップ１００２）、タッチパネル部１０４を動作状態にしておく（ステップ１００３）。
【００４０】
ユーザが徐々に携帯電話機１０を閉じていき、表示側筺体１０１が矢印５１０に示す位置まで移動したとき、光センサ３０６は、光を検出し、Ｈｉｇｈ信号を位置検出回路５１に出力する。位置検出回路５１は、光センサ３０６から入力される信号がＬｏｗからＨｉｇｈに代わると、Ｌｏｗ信号を制御部１７に出力する。制御部１７は、位置検出回路５１から入力される信号がＬｏｗになると、携帯電話機１０が閉じられたと判定し（ステップ１００４）、タッチパネル部１０４への電力供給を停止する（ステップ１００５）。矢印５１１に示す位置まで光センサ３０６は光の検出を続ける。その後、ユーザが携帯電話機１０の電源をオフにすると、制御部１７は、位置検出回路５１から入力される信号の監視を止める（ステップ１００６）。
【００４１】
ヒンジ部１０３を中心軸とした表示側筺体１０１の回転角度である開度について、図７に示す回転範囲５０８と図２１に示した回転範囲８３１とを比較すると、図７に示す回転範囲５０８の方が極端に狭いことがわかる。
【００４２】
このようにして、表示側筐体１０１が矢印５０９に示す位置まで大きく開かれたときにのみ、表示側筺体１０１が窓２０４を遮蔽する位置に窓２０４を配置することで、制御部１７が携帯電話機１０の開状態を検出する範囲を小さくすることができる。
【００４３】
本実施形態によれば、携帯電話機の開閉検出のための光センサをヒンジ部に設け、外部からヒンジ部内に光を導くための窓を一方の筐体に設け、携帯電話機が開状態になったときに、他方の筺体が窓を塞ぐ構成にしている。そのため、他方の筺体が窓からヒンジ部内に入射される光を遮断したとき、光センサが光を検出しなくなることで、携帯電話機は開状態を確実に検出することが可能となる。
【００４４】
一方の筺体に設ける窓の位置の、携帯電話機の開状態からの回転角度が小さいほど、開状態を検出する回転範囲が狭くなる。携帯電話機が、閉状態を検出しているとき、タッチパネルおよび表示部等の動作させる必要がない機能をオフにし、開状態を検出すると、これらの機能をオンにする制御を行っていると、開状態を検出する回転範囲が狭いほど、閉状態から開状態に変わるとき、タッチパネルの機能をオンにするタイミングが遅くなる。その結果、閉状態から開状態の途中でユーザが誤ってタッチパネルに触れても、タッチパネルがオフである可能性が高くなり、タッチパネルへの誤入力を防げる。また、開状態から閉状態に変化するとき、携帯電話機がタッチパネルおよび表示部等の機能をオンにするタイミングが遅くなるので、電力消費を抑制することが可能となる。
【００４５】
背景技術の欄で説明した携帯電話機において、磁気センサの磁力の検出範囲を大きくするために、磁石の磁力を強くすることも考えられる。この場合、漏れ磁束が大きくなり、例えば、ユーザが誤って磁気ＩＣカードを近づけたときに、磁気ストライプに記録されていたデータが消去されてしまうおそれがある。また、磁石のサイズが大きくなるため、装置の小型化を阻害する可能性がある。本実施形態では、開閉検出に磁力を使用しないため、このような漏洩磁束による問題が発生しない。
【００４６】
なお、本実施形態では、光センサで開閉検出を行ったが、赤外線センサを用いてもよい。また、本実施形態では、外光を筐体内部に透過させることを目的として、表示側筺体１０１に使用されている材質とは異なる材質を窓２０４に使用しているが、該当箇所の筐体の厚みを薄くする、筐体の塗装を部分的に削除する等、携帯電話機の開閉状態の違いにより光の強弱をつけることが可能であれば、他の構成であってもよい。
【００４７】
また、本実施形態では、窓２０４および光センサ３０６を、キー側筐体１０２に配置しているが、表示側筐体１０１に配置してもよい。ヒンジ部１０３の内部に異物が入り込むことを防ぐために、キー側筺体１０２に開口部を設けて、そこに窓２０４をはめ込んでいる場合で説明したが、窓２０４を設けなくてもよい。
【００４８】
（第２の実施形態）
本実施形態の携帯電話機の構成を説明する。
【００４９】
図９は本実施形態の携帯電話機の構成例を示す断面模式図である。第１の実施形態と同様な構成についての詳細な説明を省略する。
【００５０】
本実施形態の携帯電話機１０は、図４および図５を参照して説明した構成の他に、図９に示すように、磁石６０８および磁気センサ６０７を有する。
【００５１】
磁気センサ６０７は、キー側筺体１０２に設けられたプリント配線基板６０９に搭載されている。磁石６０８は、表示側筺体１０１の内部に設けられている。磁石６０８は、携帯電話機が閉じた状態で、磁気センサ６０７と向き合う位置に配置されている。
【００５２】
図１０は本実施形態の携帯電話機の構成を説明するための図である。図１０（ａ）は本実施形態の携帯電話機の一構成例を示すブロック図であり、図１０（ｂ）は図１０（ａ）に示す位置検出回路の一構成例を示す論理ゲート回路である。
【００５３】
図１０（ａ）に示すように、携帯電話機１０は、光センサ３０６と、磁気センサ６０７と、位置検出回路５３と、制御部１７と、タッチパネル部１０４とを有する。
【００５４】
磁気センサ６０７が、磁気を検出すると、Ｌｏｗ信号を出力し、磁気を検出しないと、Ｈｉｇｈ信号を出力する構成であるとすると、位置検出回路５３として、図１０（ｂ）に示すような論理ゲート回路が考えられる。
【００５５】
図１０（ｂ）の信号Ａが光センサ３０６の出力とし、信号Ｂを磁気センサ６０７の出力とすると、位置検出回路５１は、光センサ３０６から入力される信号Ａの反転信号と磁気センサ６０７から入力される信号Ｂとから、信号Ｙを出力する。信号Ａの反転信号と信号Ｂの両方がＨｉｇｈ信号のときに、信号ＹがＨｉｇｈ信号となり、信号Ａの反転信号と信号Ｂのうち、いずれか一方がＨｉｇｈ信号になっても、信号ＹはＬｏｗ信号となる。
【００５６】
これら信号Ａ、信号Ｂおよび信号Ｙの関係を、図１１を参照してわかりやすく説明する。
【００５７】
図１１は、各センサの検出と位置検出回路が判定する開閉状態との関係を示すテーブルである。図１１に示すテーブルでは、光センサ３０６が光を検出するとき、閉状態を意味する「閉検出」と表記し、光センサ３０６が光を検出しないとき、開状態を意味する「開検出」と表記している。信号Ａは、開検出のときにＬｏｗ信号となり、閉検出のときにＨｉｇｈ信号となる。そのため、信号Ａの反転信号は、開検出のときにＨｉｇｈ信号となり、閉検出のときにＬｏｗ信号となる。
【００５８】
磁気センサ６０７については、磁気センサ６０７が磁気を検出するときを「閉検出」とし、磁気センサ６０７が磁気を検出しないときを「開検出」としている。信号Ｂは、開検出のときにＨｉｇｈ信号となり、閉検出のときにＬｏｗ信号となる。
【００５９】
図１０（ｂ）に示した論理ゲート回路を参照すると、図１１に示すように、信号Ａの反転信号と信号Ｂの両方がＨｉｇｈのときだけ、位置検出回路５３は、携帯電話機１０が開状態になったと認識し、信号ＹとしてＨｉｇｈ信号を制御部１７に出力する。
【００６０】
次に、本実施形態の携帯電話機１０の動作を、図１１および図１２を参照して説明する。図１２は本実施形態の携帯電話機の動作を説明するための断面模式図である。
【００６１】
携帯電話機１０が完全に開いた状態のとき、光センサ３０６および磁気センサ６０７は両方とも開状態を検出する。このとき、図１１を参照すると、制御部１７は、位置検出回路５３から入力される信号がＨｉｇｈなので、タッチパネル部１０４を動作状態にしておく。
【００６２】
ユーザが徐々に携帯電話機１０を閉じていき、表示側筺体１０１の回転角が回転範囲６２３から回転範囲６２２に入ると、光センサ３０６が磁気センサ６０７よりも先に閉状態を検出する。このとき、位置検出回路５３は、磁気センサ６０７が開状態を検出していても、光センサ３０６が閉状態を検出したので、携帯電話機１０が閉じられたと認識し、Ｌｏｗ信号を制御部１７に出力する。制御部１７は、位置検出回路５３から入力される信号がＨｉｇｈからＬｏｗに変わると、タッチパネル部１０４への電力供給を停止する。
【００６３】
この後、さらにユーザが携帯電話機１０を閉じていき、表示側筺体１０１の回転角が回転範囲６２２から回転範囲６２１に入ると、磁気センサ６０７および光センサ３０６の両方が閉状態を検出する。制御部１７は、位置検出回路５３から制御部１７に入力される信号はＬｏｗのままなので、制御部１７は、タッチパネル部１０４への電力供給の停止を維持する。
【００６４】
完全に携帯電話機１０が閉じた状態で、ユーザが窓２０４の部分を手で塞いでしまっても、光センサ３０６は開状態を検出するが、磁気センサ６０７が閉状態を検出したままなので、携帯電話機１０の制御部１７は携帯電話機１０が閉じられた状態として動作する。
【００６５】
本実施形態では、磁気と光による開閉検出を併用することで、携帯電話機が閉じられた状態で、ユーザが手などで窓２０４を塞いでしまった場合に起こり得る誤検出を防ぎ、また、開状態の検出範囲を小さくすることができる。
【００６６】
なお、第１の実施形態で説明したように、磁石と磁気センサの組み合わせだけで誤検出を防ごうとすると、磁石の磁力を強くする必要があるが、本実施形態では、磁石を利用しても、磁力を強くする必要がないので、漏洩磁束の問題が発生しない。
【００６７】
（第３の実施形態）
本実施形態の携帯電話機の構成を説明する。第１の実施形態と同様な構成についての詳細な説明を省略する。
【００６８】
図１３は本実施形態の携帯電話機の要部の構成を説明するための断面模式図である。
【００６９】
表示側筺体１０１には、窓２５１と、発光ダイオード２５３とが設けられている。窓２５１は、携帯電話機１０が開状態のときにキー側筐体１０２の窓２０４と対向する位置に配置されている。発光ダイオード２５３は、窓２５１に光を照射可能な位置に配置されている。図１３に示す構成例では、発光ダイオード２５３は、窓２５１と所定の距離を空けて、窓２５１の下に配置されている。キー側筺体１０２におけるヒンジ部１０３の内部に設けられたプリント配線基板３０６には、光センサ２５４が搭載されている。
【００７０】
発光ダイオード２５３は、太陽光および照明を含む光源が発生する光とは異なる性質の光を出力する。光センサ２５４が、発光ダイオード２５３から照射される光を、太陽および照明等の外光と区別して検出できるようにするためである。例えば、発光ダイオード２５３は、所定の周期でパルス駆動した変調光を出力する。
【００７１】
光センサ２５４は、発光ダイオード２５３から変調光が入力され、変調光の周期と同一周期のパルス信号を検出すると、携帯電話機１０を開状態と検出する。
【００７２】
なお、本実施形態における位置検出回路５３の一例として、図１０（ｂ）に示した論理ゲート回路において、信号Ａが入力されるインバータ回路の部分を取り外した回路が考えられる。
【００７３】
次に、本実施形態の携帯電話機の動作を説明する。
【００７４】
携帯電話機１０が開いた状態であると、発光ダイオード２５３が所定の周期の変調光を出力する。光センサ２５４は、所定の周期のパルス信号が入力されることで、開状態を検出する。このとき、磁気センサ６０７も開状態を検出する。制御部１７は、光センサ２５４および磁気センサ６０７の両方が開状態を検出しているので、タッチパネル部１０４を動作状態にしておく。
【００７５】
ユーザが徐々に携帯電話機１０を閉じていき、光センサ２５４が所定の周期のパルス信号を検出しなくなると、閉状態を検出する。ここで、光センサ２５４は、太陽光および照明等の光源からの光を検出するが、所定の周期のパルス信号ではないので、開状態を検出しない。磁気センサ６０７が開状態を検出していても、光センサ２５４が閉状態を検出しているので、制御部１７は、携帯電話機１０が閉じられたと判定し、タッチパネル部１０４への電力供給を停止する。その後、ユーザがさらに携帯電話機１０を閉じていくと、磁気センサ６０７も閉状態を検出する。制御部１７は、光センサ２５４および磁気センサ６０７の両方が閉状態を検出しているので、タッチパネル部１０４への電力供給停止の状態を維持する。
【００７６】
なお、本実施形態では、磁気センサの開閉検出も利用する場合で説明したが、磁石６０８および磁気センサ６０７が設けられていなくてもよい。
【００７７】
本実施形態によれば、携帯電話機の開閉検出用として専用の光源を実装することで、太陽光等の別の光源に起因する、開閉状態の誤検出を防ぐことができる。
【００７８】
例えば、第１および第２の実施形態では、周囲が暗い場所の場合、光センサ３０６が動作しないことが考えられるが、本実施形態では、周囲が暗い場所でも、携帯電話機は開状態と閉状態をそれぞれ認識することが可能となる。また、ユーザが携帯電話機を閉状態のまま保持するときに、手で窓２０４を覆ってしまっても、携帯電話機は閉状態であることを認識できるので、誤検出を防ぐことができる。
【００７９】
なお、発光ダイオードが常に動作すると、消費電力のロスになるおそれがある。そのため、磁気センサ６０７の開閉検出の結果を利用して、電力消費を図ってもよい。例えば、磁気センサ６０７が開状態を検出している場合にのみ、発光ダイオード２５３、光センサ２５４を動作させることで、消費電力を削減することができる。
【００８０】
また、発光ダイオード２５３を表示側筐体１０１に配置し、光センサ２５４をキー側筐体１０２に配置する場合で説明したが、これらの配置を逆にしてもよい。
【００８１】
（第４の実施形態）
本実施形態の携帯電話機の構成を説明する。第１の実施形態と同様な構成についての詳細な説明を省略する。
【００８２】
図１４は本実施形態の携帯電話機の要部の構成を説明するための断面模式図である。
【００８３】
キー側筺体１０２には、窓２０４、２０５と、光センサ３０６、３０７とが設けられている。窓２０５および光センサ３０７のそれぞれは、窓２０４および光センサ３０６のそれぞれに対して、ヒンジ部１０３の中心軸を基準として、ほぼ点対称の位置に配置されている。窓２０４は窓２０５と同様な構成であり、光センサ３０７は光センサ３０６と同様な構成である。
【００８４】
なお、窓２０４から入射した光がヒンジ部１０３の内部で反射した場合に、プリント配線基板３０５の反対側の光センサ３０７がその光を検出しないように、プリント配線基板３０５を挟んで上下の空間を遮光する構造を設けた方が望ましい。例えば、ヒンジ部１０３を中心にして表示側筺体１０１が回転したとき、表示側筺体１０１およびキー側筺体１０２のいずれにも干渉しないように、２つの光センサの間に壁を設ける。プリント配線基板３０５をヒンジ部１０３の壁近くまで伸ばしてもよい。この構造にすることで、光センサ３０６が窓２０５から入射する光を検出することも防げる。
【００８５】
図１５は本実施形態の携帯電話機の構成を説明するための図である。
【００８６】
図１５に示すように、携帯電話機１０は、光センサ３０６と、光センサ３０７と、位置検出回路５５と、制御部１７と、タッチパネル部１０４とを有する。図１６は、各センサの検出と位置検出回路が判定する開閉状態との関係を示すテーブルである。図１６（ａ）に示すテーブルを基にして、各光センサの開閉検出状態と位置検出回路が判定する開閉状態との関係をテーブルにしたのが図１６（ｂ）である。
【００８７】
図１６（ｂ）を参照すると、図１０（ｂ）に示した信号Ａを光センサ３０６の出力信号とし、信号Ｂを光センサ３０７の出力信号とすれば、図１０（ｂ）に示した論理ゲート回路を本実施例の位置検出回路５５に適用することが可能である。
【００８８】
次に、本実施形態の携帯電話機の動作を、図１４を参照して説明する。
【００８９】
携帯電話機１０が完全に開いた状態のとき、表示側筺体１０１は矢印５２３が示す位置にある。このとき、光センサ３０６が開状態を検出し、光センサ３０７は開状態を検出するので、図１６（ｂ）を参照すると、制御部１７は、タッチパネル部１０４を動作状態にしておく。
【００９０】
ユーザが表示側筺体１０１を少し傾け、表示側筺体１０１が矢印５２２に示す位置になると、光センサ３０６は閉状態を検出する。このとき、位置検出回路５５は、光センサ３０７が開状態を検出していても、光センサ３０６が閉状態を検出したので、携帯電話機１０が閉じられたと認識し、Ｌｏｗ信号を制御部１７に出力する。制御部１７は、位置検出回路５３から入力される信号がＨｉｇｈからＬｏｗに変わると、タッチパネル部１０４への電力供給を停止する。
【００９１】
この後、さらにユーザが携帯電話機１０を閉じていき、表示側筺体１０１が矢印５２１に示す位置になると、磁気センサ６０７および光センサ３０６の両方が閉状態を検出する。制御部１７は、位置検出回路５５から制御部１７に入力される信号はＬｏｗのままなので、制御部１７は、タッチパネル部１０４への電力供給の停止を維持する。
【００９２】
本実施形態によれば、ユーザが携帯電話機を閉状態のまま保持するときに、手などで外側の窓２０４を覆ってしまっても、携帯電話機は閉状態であることを認識できるので、誤検出を防ぐことができる。
【００９３】
また、第１の実施形態に比べると、窓２０５をキー側筺体１０２に設ける必要があるが、プリント配線基板３０５を光センサ３０６の他に光センサ３０７も一体にして組み立てれば、製造コストの増加を抑制することができる。
【００９４】
なお、図１４に示す断面模式図において、窓２０５の配置を、ヒンジ部１０３を中心軸にして、図１４に示す位置よりもＣＷ（時計回り）方向にヒンジ部１０３の外周に沿って移動させ、完全に開状態になったときに窓２０５に外光が入るような位置にしてもよい。この場合、閉状態から完全に開状態になるまで窓２０５が表示側筺体１０１で覆われ、その間、光センサ３０７は閉状態を検出することになる。その結果、光センサ３０７が開状態を検出する位置が表示側筐体１０１が完全に開いた位置となり、制御部１７が開状態と認識する回転範囲がより狭くなる。
【００９５】
上述の第１から第４の実施形態では、ヒンジ部１０３に光センサを設ける場合で説明したが、開状態の検出を、狭い範囲の開き角度範囲で行い、携帯電話機１０が完全に開いたことを検出するセンサであれば他のセンサであってもよい。ヒンジ部１０３に設けるセンサについての他の実施例を、以下に説明する。
【実施例１】
【００９６】
本実施例は、ヒンジ部１０３に設けるセンサが近接センサの場合である。
【００９７】
本実施例の携帯電話機の構成を説明する。図１７は本実施例の携帯電話機の要部の構成を示す断面模式図である。
【００９８】
図１７に示すように、キー側筺体１０２のヒンジ部１０３に近接センサ６１０が設けられている。近接センサ６１０は、携帯電話機１０が開状態のときに、表示側筺体１０１の側壁と対向する位置に配置されている。
【００９９】
近接センサ６１０が静電容量型の近接センサである場合、直接に検出対象物がなければならない。そのため、図１７に示すように、キー側筺体１０２に設けた開口部に近接センサ６１０を埋め込み、キー側筺体１０２から露出するようにしている。
【０１００】
また、近接センサ６１０が誘導型の近接センサであってもよい。この場合、近接センサ６１０は、対象物の金属に発生した渦電流を検出するため、対象物が金属である必要がある。表示側筺体１０１の側壁の材質、または、少なくとも近接センサ６１０に対向する位置の側壁の材質が金属である。
【実施例２】
【０１０１】
本実施例は、ヒンジ部１０３に設けるセンサが反射型光電センサの場合である。
【０１０２】
本実施例の携帯電話機の構成を説明する。図１８は本実施例の携帯電話機の要部の構成を示す断面模式図である。
【０１０３】
図１８に示すように、キー側筺体１０２のヒンジ部１０３には、プリント配線基板３０５に反射型光電センサ６１２が設けられ、その側壁に窓２０６が設けられている。反射型光電センサ６１２は、光を出力する発光部（不図示）と、反射光を検出する受光部（不図示）とを有する。
【０１０４】
反射型光電センサ６１２は、携帯電話機１０が開状態のときに、発光部が窓２０６を介して表示側筺体１０１の側壁に光を照射し、照射した光が表示側筺体１０１で反射し、その反射光を窓２０６を透過して受光部が検出可能な位置に配置されている。発光部から照射する光は、第３の実施形態で説明した変調光であり、受光部は、発光部が照射した変調光と同一周期のパルス信号を受信したときだけ、携帯電話機１０が開状態を検出する。
【０１０５】
上述の実施形態および実施例において、窓２０４、２０５の材質は、光を透過する材質であれば、どのような材質であってもよい。ただし、実施例２の反射型光電センサを使う場合は、窓２０６は透明であることが望ましい。
【０１０６】
また、上述の実施形態では、折り畳み型の携帯電話機の場合で説明したが、２つの筺体から構成され、２つの筺体の位置関係が変化可能な携帯電話機であれば、他の携帯電話機であってもよい。折り畳み型以外の携帯電話機の実施例を説明する。
【実施例３】
【０１０７】
図１９は本実施例の携帯電話機の構成を説明するための外観斜視図である。
【０１０８】
図１９（ａ）および図１９（ｂ）はスライド型の携帯電話機の動作を説明するための図である。
【０１０９】
スライド型の携帯電話機は、図１９（ａ）のようにキー側筺体１０２の上に表示側筺体１０１が重ねられた状態から、図１９（ｂ）に示すように、表示側筺体１０１がその長手方向にキー側筺体１０２に対して平行移動することが可能な構成である。
【０１１０】
図１９（ｂ）に示すように、光センサ３０６がキー側筺体１０２の上面に設けられている。光センサ３０６は、表示側筺体１０１が完全にスライドしきった状態でなければ、外光を検出できない位置に配置されている。制御部１７は、光センサ３０６が開状態を検出したときに、携帯電話機が開状態と認識する。
【０１１１】
また、図１９（ａ）に示した携帯電話機に回転型の動作が加わった携帯電話機の構成を図１９（ｃ）に示す。
【０１１２】
表示側筺体１０１とキー側筺体１０２は、キー側筺体１０２を基準として、それぞれ水平方向を保ったまま、表示側筺体１０１を回転可能に回転軸で接続されている。ユーザは、携帯電話機を、図１９（ａ）に示した状態から図１９（ｃ）の状態にスタイルを変更することが可能である。
【０１１３】
図１９（ｃ）に示すように、光センサ３０６ａ、３０６ｂがキー側筺体１０２の上面に設けられている。２つ光センサを設けているのは、それぞれの筺体の長手方向がほぼ垂直になった状態を開状態として、表示側筺体１０１のＣＷ方向およびＣＣＷ（反時計回り）方向の両方について回転角の不足を検出するためである。制御部１７は、光センサ３０６ａ、３０６ｂの両方が開状態を検出したときに、携帯電話機が開状態と認識する。
【０１１４】
なお、回転型の携帯電話機として、図１９（ｃ）に示した回転方法に限らず、他の回転方法であってもよい。
【０１１５】
本発明の携帯端末は、折り畳み型、回転型、スライド型のような２つの筐体から構成され、２つの筺体の位置関係が変化するものであれば、携帯電話機、スマートフォン、他の装置（例えば、ゲーム機、タブレットＰＣ(Personal Computer)、ノートＰＣ、ＰＤＡ(Personal Data Assistants：携帯情報端末）にも適用することが可能である。
【０１１６】
また、上記の実施形態および実施例では、開閉状態の検出結果を利用する制御対象として、タッチパネルおよび表示部の機能を例に説明したが、制御対象は、これらの機能に限らない。例えば、携帯電話機が閉状態であるとき、キー操作部１０５への入力が無効になるように、キー操作部１０５への電力供給を停止することで、さらに消費電力を削減することが可能となる。
【０１１７】
また、携帯電話機が開状態から閉状態になると、バイブレータおよび鳴動が動作しないように切り替える制御を行ってもよい。この場合、メールの受信や電話の着信があっても、携帯電話機は、その履歴を残すだけで、バイブレータおよび鳴動を動作させないので、消費電力を削減できる。
【０１１８】
（付記１）光を内部に導く第１の開口部と、前記第１の開口部から入る光を検出する第１の光検出手段とを含む第１の筐体と、前記第１の筐体の一部に沿って、前記第１の開口部を塞ぐ位置と開放する位置とに移動可能な第２の筐体と、前記第１の光検出手段の検出結果を基に前記第２の筐体の位置を検出する位置検出手段と、を有する携帯端末。
【０１１９】
（付記２）前記第２の筺体において、前記第１の開口部が塞がれている状態で前記第１の光検出手段の対向する位置に配置され、太陽光および照明を含む光源が発生する光とは異なる性質の光を該第１の光検出手段に照射する光発生手段がさらに設けられている、付記１記載の携帯端末。
【０１２０】
（付記３）前記第２の筺体に設けられた磁石と、前記第１の筺体において、前記第１の開口部が開放されている状態で前記磁石に対向する位置に配置された磁気検出手段と、をさらに有し、前記位置検出手段は、前記第１の光検出手段の検出結果および前記磁気検出手段の検出結果を基に前記第２の筺体の位置を検出する、付記１または２に記載の携帯端末。
【０１２１】
（付記４）前記第１および第２の筺体がヒンジで接続され、前記第１の開口部および前記第１の光検出手段が前記ヒンジに設けられている、付記１から３のいずれか１つに記載の携帯端末。
【０１２２】
（付記５）前記第１の開口部とは異なり、光を内部に導く第２の開口部と、該第２の開口部から入る光を検出する第２の光検出手段とが前記第２の筺体にさらに設けられ、前記位置検出手段は、前記第１および第２の光検出手段の検出結果を基に前記第２の筺体の位置を検出する、付記１記載の携帯端末。
【０１２３】
（付記６）前記第２の開口部は、前記第１の開口部が開放されている状態で前記第２の筺体によって塞がれ、該第１の開口部が塞がれている状態で開放される位置に配置されている、付記５に記載の携帯端末。
【０１２４】
（付記７）前記第１および第２の筺体がヒンジで接続され、前記第１および第２の開口部、ならびに前記第１および第２の光検出手段が前記ヒンジに設けられ、前記第１および第２の開口部が点対称の位置に配置され、前記第１および第２の光検出手段が点対称の位置に配置されている、付記５または６に記載の携帯端末。
【０１２５】
（付記８）第１の筺体と、第２の筺体と、前記第１および第２の筺体を接続するヒンジ部と、前記ヒンジ部に設けられ、該ヒンジ部を中心軸としたときの前記第１および第２の筺体の回転角である開度を検出するセンサと、を有する携帯端末。
【０１２６】
（付記９）前記センサが近接センサであり、前記第１の筺体の前記ヒンジ部に前記近接センサが設けられ、前記近接センサは、前記開度が最大の状態において、前記第２の筺体の一部に対向する位置に配置されている、付記８記載の携帯端末。
【０１２７】
（付記１０）前記センサが反射型光電センサであり、前記第１の筺体の前記ヒンジ部に反射型光電センサが配置され、前記反射型光電センサは、前記開度が最大の状態において、前記第２の筺体の一部に対向する位置に配置されている、付記８記載の携帯端末。
【０１２８】
（付記１１）第１の筺体と、該第１の筺体の一部に沿って移動可能な第２の筺体とを含む携帯端末が実行する位置検出方法であって、前記第１の筺体の一部に沿って前記第２の筺体が所定の位置に移動したときに該第２の筺体によって塞がれ、前記第２の筺体が該所定の位置から移動すると開放される開口部と、該開口部から入る光を検出する光検出手段とを前記第１の筺体に予め設け、前記光検出手段から出力される検出結果を監視し、前記検出結果に基づいて、前記第２の筺体の位置を検出する、位置検出方法。
【０１２９】
（付記１２）前記検出結果として、前記光検出手段から出力される電圧を監視し、監視する前記電圧が予め決められた範囲の電圧である第１の電圧の場合、前記第２の筺体が前記開口部を塞ぐ位置にあると判定し、監視する前記電圧が前記第１の電圧とは異なる第２の電圧の場合、前記第２の筺体が前記開口部を開放する位置にあると判定する、付記１１記載の位置検出方法。
【符号の説明】
【０１３０】
１    第１の筺体
２    第２の筺体
３    開口部
５    光検出手段
７    位置検出手段
１０    携帯電話機
１７    制御部
５１、５３    位置検出回路
３０６、３０７    光センサ
１０１    表示側筺体１０１
１０２    キー側筺体１０２
１０３    ヒンジ部
６０７    磁気センサ
６０８    磁石
６１０    近接センサ
６１２    反射型光電センサ
【図１】
2013187829.tif 000003
【図２】
2013187829.tif 000004
【図３】
2013187829.tif 000005
【図４】
2013187829.tif 000006
【図５】
2013187829.tif 000007
【図６】
2013187829.tif 000008
【図７】
2013187829.tif 000009
【図８】
2013187829.tif 000010
【図９】
2013187829.tif 000011
【図１０】
2013187829.tif 000012
【図１１】
2013187829.tif 000013
【図１２】
2013187829.tif 000014
【図１３】
2013187829.tif 000015
【図１４】
2013187829.tif 000016
【図１５】
2013187829.tif 000017
【図１６】
2013187829.tif 000018
【図１７】
2013187829.tif 000019
【図１８】
2013187829.tif 000020
【図１９】
2013187829.tif 000021
【図２０】
2013187829.tif 000022
【図２１】
2013187829.tif 000023